(57)【要約】      （修正有）【課題】貯水槽の設置場所に関わらず、さらにどのような天候および時間帯であっても、簡単に水道水を取り出すことができる給水システムを提供する。【解決手段】給水システム１０は、貯水槽１２などの貯水手段を備えており、給水管１６から供給された水道水を住宅１００内の給水栓１８に供給するために用いられる。給水管１６には、水道水が逆流しないようにするための逆止弁２０が設けられる。第１配水管２８ｂは、貯水手段から水道水を非常取水栓３０として兼用される第１給水栓１８ｂに供給する。また、第２配水管２８ａ，２８ｃ，２８ｄは、貯水手段から水道水を第２給水栓１８ａ，１８ｃ，１８ｄに供給する。第２給水栓１８ａ，１８ｃ，１８ｄには、接続口が形成され、この接続口には、加圧装置が取り付けられる。そして、加圧装置を作動させて貯水手段を加圧することによって、貯水手段によって貯留されている水道水を非常取水栓３０から取り出す。【選択図】図１
2010185272.tif 000002
【特許請求の範囲】
【請求項１】
住宅内の給水系管路に適用される給水システムであって、
前記住宅内に供給される水道水の逆流を防止する第１逆止弁、
前記第１逆止弁よりも下流側の水道水を第１給水栓に供給する第１配水管、
前記第１逆止弁よりも下流側の水道水を第２給水栓に供給する第２配水管、
前記第１配水管および前記第２配水管の少なくともいずれか一方に設けられる貯水手段、および
前記第２給水栓の少なくとも１つに形成され、前記貯水手段を加圧する加圧装置を接続するための接続口を備え、
前記第１給水栓が、給水圧が作用しない非常時には非常取水栓として兼用される、給水システム。
【請求項２】
前記貯水手段は、複数の給水口を有する貯水槽であり、前記第１配水管は、前記複数の給水口のうち第１給水口から水道水を前記第１給水栓に供給し、前記第２配水管は、前記複数の給水口のうち前記第１給水口を除く第２給水口から水道水を前記第２給水栓に供給する、請求項１記載の給水システム。
【請求項３】
前記第１給水口は、前記貯水槽の最下部に設けられる、請求項２記載の給水システム。
【請求項４】
複数の分岐口を有するヘッダをさらに備え、
前記第１配水管は、前記複数の分岐口のうち第１分岐口から水道水を前記第１給水栓に供給し、前記第２配水管は、前記複数の分岐口のうち前記第１分岐口を除く第２分岐口から水道水を前記第２給水栓に供給する請求項１記載の給水システム。
【請求項５】
前記貯水手段は、前記第１配水管に設けられる、請求項４記載の給水システム。
【請求項６】
分岐継手によって給水栓ごとに前記第１配水管および前記第２配水管がそれぞれ分岐される、請求項１記載の給水システム。
【請求項７】
前記接続口は、前記第２給水栓の吐水口と兼用される、請求項１ないし６のいずれかに記載の給水システム。
【請求項８】
前記第２給水栓は、第２逆止弁を有する分岐部を含み、
前記分岐部に前記接続口が形成される、請求項１ないし７のいずれかに記載の給水システム。
【請求項９】
住宅内の給水系管路に適用される給水システムであって、
前記住宅内に供給される水道水の逆流を防止する第１逆止弁、
前記第１逆止弁よりも下流側の水道水を給水栓に供給する配水管、
前記配水管に設けられる貯水手段、
前記配水管に設けられるかつ第２逆止弁を有する分岐部、および
前記分岐部に形成され、前記貯水手段を加圧する加圧装置を接続するための接続口を備え、
前記給水栓が、給水圧が作用しない非常時には非常取水栓として兼用される、給水システム。
【請求項１０】
住宅内の給水系管路に適用される給水システムであって、
前記住宅内に供給される水道水の逆流を防止する第１逆止弁、
前記第１逆止弁よりも下流側の水道水を給水栓に供給する配水管、
前記配水管に設けられる貯水手段、
前記配水管に形成されるかつ第２逆止弁を有する分岐部、
前記住宅の居住空間に面するパネル体に設置され、前記分岐部に連通されるコンセント部、および
前記コンセント部に形成され、前記貯水手段を加圧する加圧装置を接続するための接続口を備え、
前記給水栓が、給水圧が作用しない非常時には非常取水栓として兼用される、給水システム。
【請求項１１】
住宅内の給水系管路に適用される給水システムであって、
前記住宅内に供給される水道水の逆流を防止する第１逆止弁、
前記第１逆止弁よりも下流側の水道水が供給される貯水手段、
前記貯水手段から水道水を給水栓に供給する配水管、
前記貯水手段に形成されるかつ第２逆止弁を有する分岐部、
前記住宅の居住空間に面するパネル体に設置され、前記分岐部に連通されるコンセント部、および
前記コンセント部に形成され、前記貯水手段を加圧する加圧装置を接続するための接続口を備え、
前記給水栓が、給水圧が作用しない非常時には非常取水栓として兼用される、給水システム。
【請求項１２】
住宅内の給水系管路に設けられる貯水手段から延びる配水管に連結される給水栓であって、
前記配水管から給水圧が作用する水道水が供給されるハウジング、
前記ハウジングから前記水道水を流出する吐水口への流路を開閉するバルブ、および
前記バルブよりも上流側に形成され、前記貯水手段を加圧する加圧装置を接続するための接続口を備える、給水栓。
【請求項１３】
前記バルブよりも上流側に形成されるかつ逆止弁を有する分岐部をさらに備え、
前記分岐部に前記接続口が形成される、請求項１３記載の給水栓。
【請求項１４】
請求項１ないし１１のいずれかに記載の給水システムが給水系管路に適用された住宅。
【請求項１５】
請求項１ないし１１のいずれかに記載の給水システムが各住戸の給水系管路に適用された集合住宅。
【発明の詳細な説明】
【技術分野】
【０００１】
この発明は、給水栓、給水システム、およびそれを用いる住宅に関し、特にたとえば、給水系管路に設けられた貯水手段に貯留されている水道水を非常取水栓から取り出すための、給水栓、給水システム、およびそれを用いる住宅に関する。
【背景技術】
【０００２】
従来、給水系管路に貯水槽を設け、この貯水槽に非常時に飲料水として用いられ得る清潔な水を貯留すると共に、貯水槽を給水ヘッダとして機能させる技術が公知である。
【０００３】
たとえば、特許文献１の給水装置（貯水槽）では、タンク体の一方側に、給水圧が作用する水道水を供給する水道管が接続され、タンク体の他方側に、屋内の蛇口（取水栓）にタンク体内の水道水を供給する給水管が接続される。タンク体の上面には、吸気弁が設けられており、この吸気弁に空気ポンプ（加圧装置）を連結してタンク体内に空気を圧入することによって、タンク体内に貯蔵された水を給水管から取り出すことができる。
【０００４】
また、たとえば、特許文献２の非常用飲料・防火用タンク（貯水槽）では、圧力容器の上面に、エアー抜き管が取り付けられる。エアー抜き管は、通常は弁などで閉塞されており、このエアー抜き管に、圧力容器内を加圧するための給気加圧装置を接続することによって、圧力容器内の水を流出側の水道管から取り出すことができる。
【特許文献１】実開昭５２−２４２１１号公報［Ｂ６５Ｄ  ８７／００］
【特許文献２】特開平８−３１９６４２号公報［Ｅ０３Ｂ  １１／００］
【発明の概要】
【発明が解決しようとする課題】
【０００５】
しかしながら、特許文献１の技術では、空気ポンプ（加圧装置）を連結するための吸気弁が、屋外の地中に埋設されるタンク体に設けられている。このため、吸気弁に加圧装置を取り付けるのも屋外となり、たとえば雨天や積雪などの悪天候の場合や夜間には、その吸気弁に加圧装置を取り付けるのが困難である。したがって、タンク体を任意の位置に設置できることが望ましい。
【０００６】
また、特許文献２の技術では、給気加圧装置をエアー抜き管に接続するため、たとえば、圧力容器からエアー抜き管内における弁の位置までの空間にある水道水は、新たな水道水に入れ替わることがない。すなわち、エアー抜き管内に水道水の滞留するスペースができてしまうため、衛生的でない。
【０００７】
それゆえに、この発明の主たる目的は、非常時にも簡単に清潔な水を取り出すことのできる、給水栓、給水システム、およびそれを用いる住宅を提供することである。
【課題を解決するための手段】
【０００８】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００９】
第１の発明は、住宅内の給水系管路に適用される給水システムであって、住宅内に供給される水道水の逆流を防止する第１逆止弁、第１逆止弁よりも下流側の水道水を第１給水栓に供給する第１配水管、第１逆止弁よりも下流側の水道水を第２給水栓に供給する第２配水管、第１配水管および第２配水管の少なくともいずれか一方に設けられる貯水手段、および第２給水栓の少なくとも１つに形成され、貯水手段を加圧する加圧装置を接続するための接続口を備え、第１給水栓が、給水圧が作用しない非常時には非常取水栓として兼用される、給水システムである。
【００１０】
第１の発明では、給水システム（１０）は、貯水槽（１２）などの貯水手段を備えており、たとえば給水管（１６）から供給された水道水を住宅（１００）内の給水栓（１８）に供給するために用いられる。たとえば、給水管には、水道水が給水管へ逆流しないようにするための逆止弁（２０）が設けられる。第１配水管（２８ｂ）は、逆止弁よりも下流側の水道水を第１給水栓（１８ｂ）に供給する。また、第２配水管（２８ａ，２８ｃ，２８ｄ）は、逆止弁よりも下流側の水道水を第２給水栓（１８ａ，１８ｃ，１８ｄ）に供給する。第１給水栓は、通常時には通常の給水栓として使用されるが、水道水に給水圧が作用しなくなる非常時には、非常取水栓（３０）として兼用される。また、第２給水栓には、接続口（３２）が形成され、この接続口には、加圧装置（３４）が取り付けられる。そして、加圧装置を作動させて貯水手段を加圧することによって、貯水手段によって貯留されている水道水を非常取水栓から取り出すことができる。
【００１１】
第１の発明によれば、貯水手段を設ける場所に関わらず、さらにどのような天候および時間帯であっても、簡単に水道水を取り出すことができる。
【００１２】
さらに、非常取水栓へと繋がる配水管内の水道水や接続口へと繋がる配水管内の水道水が生活用水として普段使用され、このような水道水がほぼ滞留することなく清潔に保たれる。したがって、非常時にも、清潔な水道水を取り出すことができる。
【００１３】
第２の発明は、第１の発明に従属し、貯水手段は、複数の給水口を有する貯水槽であり、第１配水管は、複数の給水口のうち第１給水口から水道水を第１給水栓に供給し、第２配水管は、複数の給水口のうち第１給水口を除く第２給水口から水道水を第２給水栓に供給する。
【００１４】
第２の発明では、貯水手段は、貯水槽（１２）であり、給水管（１６）は、貯水槽の導入口（２４）に接続される。貯水槽には、複数の給水口（２６ａ，２６ｂ，２６ｃ，２６ｄ）が設けられており、そのうちの第１給水口（２６ｂ）には、第１配水管（２８ｂ）が接続される。第１配水管は、非常取水栓（３０）として使用される住宅（１００）内の第１給水栓（１８ｂ）に連結され、第１給水口から水道水を第１給水栓に供給する。また、第１給水口を除く第２給水口（２６ａ，２６ｃ，２６ｄ）には、それぞれ第２配水管（２８ａ，２８ｃ，２８ｄ）が接続される。第２配水管は、住宅内の第２給水栓（１８ａ，１８ｃ，１８ｄ）に連結され、第２給水口から水道水を第２給水栓に供給する。
【００１５】
第３の発明は、第２の発明に従属し、第１給水口は、貯水槽の最下部に設けられる。
【００１６】
第３の発明では、第１給水口（２６ｂ）は、貯水槽（１２）の最下部に設けられ、この第１給水口に接続された第１配水管（２８ｂ）が非常取水栓（３０）として使用される第１給水栓（１８ｂ）に連結される。
【００１７】
第３の発明によれば、非常時に貯水槽内に貯留されている水道水を無駄なく取り出すことができる。また、断水により、万が一貯水槽内に砂などの異物が入った場合にも、非常取水栓を利用すれば貯水槽内の異物を取り出すことができる。
【００１８】
第４の発明は、第１の発明に従属し、複数の分岐口を有するヘッダをさらに備え、第１配水管は、複数の分岐口のうち第１分岐口から水道水を第１給水栓に供給し、第２配水管は、複数の分岐口のうち第１分岐口を除く第２分岐口から水道水を第２給水栓に供給する。
【００１９】
第４の発明では、給水管（１６）は、ヘッダ（５０）の導入口（５２）に接続される。ヘッダには、複数の分岐口（５４ａ，５４ｂ，５４ｃ，５４ｄ）が設けられており、そのうちの第１分岐口（５４ｂ）には、第１配水管（２８ｂ）が接続される。第１配水管は、非常取水栓（３０）として使用される第１給水栓（１８ｂ）に連結され、第１分岐口から水道水を第１給水栓に供給する。また、第１分岐口を除く第２分岐口（５４ａ，５４ｃ，５４ｄ）には、それぞれ第２配水管（２８ａ、２８ｃ、２８ｄ）が接続される。第２配水管は、第２給水栓（１８ａ、１８ｃ、１８ｄ）に連結され、第２分岐口から水道水を第２給水栓に供給する。
【００２０】
第５の発明は、第４の発明に従属し、貯水手段は、第１配水管に設けられる。
【００２１】
第５の発明では、貯水手段（１２）が、ヘッダ（５０）の第１分岐口（５４ａ）から延びて非常取水栓（３０）として使用される第１給水栓（１８ｂ）に連結される第１配水管（２８ｂ）に設けられる。
【００２２】
第６の発明は、第１の発明に従属し、分岐継手によって給水栓ごとに第１配水管および第２配水管がそれぞれ分岐される。
【００２３】
第６の発明では、給水システム（１０）に先分岐配管が適用され、分岐継手（５６，６０，６４）を用いることによって、給水栓（１８ａ，１８ｂ，１８ｃ，１８ｄ）ごとに配水管（２８ａ，２８ｂ，２８ｃ，２８ｄ）が順次分岐される。分岐継手どうしは、導水管（５８，６２）によって接続される。
【００２４】
第７の発明は、第１ないし６の発明に従属し、接続口は、第２給水栓の吐水口と兼用される。
【００２５】
第７の発明では、第２給水栓（１８ｄ）は、たとえば、ハウジング部（３６）とバルブ（３８）と吐水口（４０）とを含み、第２配水管（２８ｄ）からハウジング部に流れ込んだ水道水が、バルブを開くことによって吐水口から供給される。第２給水栓の吐水口は、接続口（３２）として兼用され、たとえば、貯水手段（１２）に貯留されている水道水を非常取水栓（３０）から取り出す場合には、第２給水栓の吐水口に加圧装置（３４）が接続される。
【００２６】
第８の発明は、第１ないし６の発明に従属し、第２給水栓は、第２逆止弁を有する分岐部を含み、分岐部に接続口が形成される。
【００２７】
第８の発明では、第２給水栓（１８ｄ）のハウジング部（３６）には、バルブ（３８）よりも上流側に分岐部（６６）が形成され、この分岐部に接続口（３２）が形成される。たとえば、分岐部は、第１ジョイント部（６８）を含み、第１ジョイント部には、ハウジング部に供給された水道水が外部へ流出しないようにするための逆止弁（７４）が設けられる。また、たとえば、加圧装置のホース（４４）には、第２ジョイント部（７８）が設けられ、第１ジョイント部に第２ジョイント部を接続することによって、逆止弁が開き、第１ジョイント部から第２ジョイント部を引き抜くことによって、逆止弁が閉じる。
【００２８】
第９の発明は、住宅内の給水系管路に適用される給水システムであって、住宅内に供給される水道水の逆流を防止する第１逆止弁、第１逆止弁よりも下流側の水道水を給水栓に供給する配水管、配水管に設けられる貯水手段、配水管に形成されるかつ第２逆止弁を有する分岐部、および分岐部に形成され、貯水手段を加圧する加圧装置を接続するための接続口を備え、給水栓が、給水圧が作用しない非常時には非常取水栓として兼用される、給水システムである。
【００２９】
第９の発明では、逆止弁（２０）よりも下流側の配水管（２８）に分岐部（６６）が形成され、この分岐部に接続口（３２）が形成される。分岐部は、たとえば、第１ジョイント部（６８）を含み、第１ジョイント部には、配水管内の水道水が外部へ流出しないようにするための逆止弁（７４）が設けられる。実施例では、分岐部は、加圧装置（３４）を簡単に接続することができるように、シンク下の収納スペースに相当する位置に形成される。
【００３０】
第１０の発明は、住宅内の給水系管路に適用される給水システムであって、住宅内に供給される水道水の逆流を防止する第１逆止弁、第１逆止弁よりも下流側の水道水を給水栓に供給する配水管、配水管に設けられる貯水手段、配水管に形成されるかつ第２逆止弁を有する分岐部、住宅の居住空間に面するパネル体に設置され、分岐部に連通されるコンセント部、およびコンセント部に形成され、貯水手段を加圧する加圧装置を接続するための接続口を備え、給水栓が、給水圧が作用しない非常時には非常取水栓として兼用される、給水システムである。
【００３１】
第１０の発明では、逆止弁（２０）よりも下流側の配水管（２８）に分岐部（８４）が形成される。たとえば、分岐部は、汎用のチーズ継手であり、その１つの受口（８４ａ）に分岐管（８６）の一方端が接続される。分岐部の受口には、分岐部内の水道水が分岐管内へ流入しないようにするための逆止弁が設けられる。たとえば、分岐管は、分岐継手から延びて、その他方端がコンセント部（８８）に接続される。コンセント部は、住宅（１００）の居住空間に面するパネル体（１０２）に設置され、このコンセント部に接続口（３２）が形成される。
【００３２】
第１１の発明は、住宅内の給水系管路に適用される給水システムであって、住宅内に供給される水道水の逆流を防止する第１逆止弁、第１逆止弁よりも下流側の水道水が供給される貯水手段、貯水手段から水道水を給水栓に供給する配水管、貯水手段に形成されるかつ第２逆止弁を有する分岐部、住宅の居住空間に面するパネル体に設置され、分岐部に連通されるコンセント部、およびコンセント部に形成され、貯水手段を加圧する加圧装置を接続するための接続口を備え、給水栓が、給水圧が作用しない非常時には非常取水栓として兼用される、給水システムである。
【００３３】
第１１の発明では、貯水槽（１２）には、逆止弁を有する分岐部（８４）が形成される。たとえば、分岐部には、分岐管（８６）の一方端が接続される。コンセント部（８８）は、住宅（１００）の居住空間に面するパネル体（１０２）に設置され、このコンセント部に接続口（３２）が形成される。
【００３４】
第１２の発明は、住宅内の給水系管路に設けられる貯水手段から延びる配水管に連結される給水栓であって、配水管から給水圧が作用する水道水が供給されるハウジング、ハウジングから水道水を流出する吐水口への流路を開閉するバルブ、およびバルブよりも上流側に形成され、貯水手段を加圧する加圧装置を接続するための接続口を備える、給水栓である。
【００３５】
第１２の発明では、給水栓（１８ｄ）は、貯水槽（１２）の給水口（２６ｄ）に接続された配水管（２８ｄ）に連結される。給水栓は、ハウジング部（３６）とバルブ（３８）と吐水口（４０）とを含み、配水管から給水圧が作用する水道水がハウジング部に供給され、このハウジング部に流れ込んだ水道水が、バルブを開くことによって吐水口から流出する。ハウジング部には、バルブよりも上流側に接続口（３２）が形成され、この接続口に加圧装置（３４）が取り付けられる。
【００３６】
第１３の発明は、第１２の発明に従属し、バルブよりも上流側に形成されるかつ逆止弁を有する分岐部をさらに備え、分岐部に接続口が形成される。
【００３７】
第１３の発明では、ハウジング部（３６）には、バルブ（３８）よりも上流側に分岐部（６６）が形成され、分岐部には、ハウジング部に供給された水道水が外部へ流出しないようにするための逆止弁（７４）が設けられる。また、分岐部には、接続口（３２）が形成され、この接続口に加圧装置（３４）が取り付けられる。
【００３８】
第１４の発明は、第１ないし１１のいずれかの発明に記載の給水システムが適用された住宅である。
【００３９】
第１４の発明では、住宅（１００）の給水系管路に給水システム（１０）が適用される。
【００４０】
第１５の発明は、第１ないし１１のいずれかの発明に記載の給水システムが各戸に適用された集合住宅である。
【００４１】
第１５の発明では、集合住宅（１００）を構成する各住戸の給水系管路に給水システム（１０）が適用される。
【００４２】
第１５の発明によれば、たとえば、集合住宅に設置される１つの共用タンクから各住戸に水道水を供給する場合には、非常時に、住戸のうちの１戸が大量に水を使用すると、共用タンク内の貯留水がなくなるが、集合住宅を構成する各住戸の給水系管路に給水システムを適用することによって、各住戸、すなわち各家庭ごとに独立して貯留水を使用することができる。
【発明の効果】
【００４３】
この発明によれば、住宅の居住空間内に配置された接続口に加圧装置を接続することによって、貯水手段に貯留されている水道水を取り出すことができるため、貯水手段を設ける場所に関わらず、さらにどのような天候および時間帯であっても、簡単に水道水を取り出すことができる。
【００４４】
さらに、水道水がほぼ滞留することなく清潔に保たれるため、非常時にも、清潔な水道水を取り出すことができる。
【００４５】
この発明の上述の目的，その他の目的，特徴および利点は、図面を参照して行う以下の実施例の詳細な説明から一層明らかとなろう。
【図面の簡単な説明】
【００４６】
【図１】この発明の一実施例の給水システムを住宅内の給水管路系に適用した状態を示す図解図である。
【図２】図１の貯水槽を示す図解図である。
【図３】図１の給水栓に加圧装置を接続した状態を示す平面図である。
【図４】加圧装置によって槽本体内を加圧する様子を示す図解図である。
【図５】加圧装置によって槽本体内を加圧する様子を示す図解図である。
【図６】この発明の別の実施例の給水システムを住宅内の給水管路系に適用した状態を示す図解図である。
【図７】図６のヘッダを示す図解図である。
【図８】この発明のさらに別の実施例の給水システムを住宅内の給水管路系に適用した状態を示す図解図である。
【図９】この発明のさらに別の実施例の給水システムを住宅内の給水管路系に適用した状態を示す図解図である。
【図１０】この発明のさらに別の実施例の給水システムを住宅内の給水管路系に適用した状態を示す図解図である。
【図１１】この発明のさらに別の実施例の給水システムを住宅内の給水管路系に適用した状態を示す図解図である。
【図１２】この発明のさらに別の実施例の給水システムを住宅内の給水管路系に適用した状態を示す図解図である。
【図１３】この発明のさらに別の実施例の給水システムにおける給水栓に加圧装置を接続した状態を示す平面図である。
【図１４】図１３の給水栓に加圧装置のホースを接続する様子を示す図解図である。
【図１５】この発明のさらに別の実施例の給水システムにおける給水栓に加圧装置を接続した状態を示す平面図である。
【図１６】この発明のさらに別の実施例の給水システムを住宅内の給水管路系に適用した状態を示す図解図である。
【図１７】図１６のコンセント部に加圧装置のホースを接続する様子を示す図解図である。
【図１８】図１６のコンセント部を示す平面図である。
【図１９】この発明のさらに別の実施例の給水システムを住宅内の給水管路系に適用した状態を示す図解図である。
【図２０】この発明のさらに別の実施例の給水システムを住宅内の給水管路系に適用した状態を示す図解図である。
【図２１】この発明のさらに別の実施例の給水システムを住宅内の給水管路系に適用した状態を示す図解図である。
【発明を実施するための形態】
【００４７】
図１を参照して、この発明の一実施例である給水システム１０は、貯水手段としての貯水槽１２を備えており、住宅１００内の給水系管路に適用される。
【００４８】
給水系管路は、水道管１４から住宅１００内へ延びる給水管１６を含み、給水システム１０は、給水管１６から供給された水道水を住宅１００内の各給水栓１８ａ、１８ｂ、１８ｃ、１８ｄに供給する。なお、この実施例では、給水管１６には、水道水が逆流しないようにするための逆止弁２０が設けられており、逆止弁２０の下流側の水道水が住宅１００内の各給水栓１８ａ、１８ｂ、１８ｃ、１８ｄに供給されることとなる。
【００４９】
ただし、この実施例における「上流側」とは、水道水の流路における水道管１４側を意味し、「下流側」とは、水道水の流路における給水栓１８側を意味する。
【００５０】
図１に示すように、貯水槽１２は、たとえば住宅１００の床下に設置されて、その場所で給水系管路に接続される。図２に示すように、貯水槽１２は、たとえば硬質塩化ビニルやポリエチレンなど合成樹脂製パイプであり、その両開口がそれぞれ端面２２で塞がれる。貯水槽１２の内容量はたとえば、３６リットルであり、その大きさはφ２００のパイプで長さ１．２ｍである。３６リットルは４人家族の３日間の飲料用水使用量に相当する。
【００５１】
端面２０には、導入口２４が設けられ、導入口２４に給水管１６が接続される。また、端面２０には、複数、この実施例では４つの給水口２６ａ、２６ｂ、２６ｃ、２６ｄが設けられ、各給水口２６にそれぞれ配水管２８ａ、２８ｂ、２８ｃ、２８ｄが接続される。配水管２８は、たとえば可撓性のある合成樹脂管などであり、この配水管２８に住宅１００内の各給水栓１８ａ、１８ｂ、１８ｃ、１８ｄが接続される。つまり、この実施例では、貯水槽１２は、各配水管２８ａ、２８ｂ、２８ｃ、２８ｄの最上流側に設けられ、これらの配水管２８ａ、２８ｂ、２８ｃ、２８ｄを１つにまとめる給水ヘッダとして機能している。
【００５２】
図１に示すように、配水管２８ａは、浴室の給水栓１８ａに連結される。また、配水管２８ｂは、端面２０の最下部、すなわち貯水槽１２の最下部に位置する給水口２６ｂに接続されて、キッチンの給水栓１８ｂに連結される。さらに、配水管２８ｃはトイレの給水栓１８ｃに、ならびに配水管２８ｄは洗面所の給水栓１８ｄに連結される。
【００５３】
給水口２６ｂから水道水を供給される給水栓１８ｂは、通常時には通常の給水栓として使用されるが、地震が発生して断水したときのように、水道水に給水圧が作用しなくなる非常時には、非常取水栓３０として兼用される。
【００５４】
なお、この実施例では、貯水槽１２内に貯留されている水道水を無駄無く取り出すことができるように、給水口２６ａ、２６ｂ、２６ｃ、２６ｄのうち、最下部に位置する給水口２６ｂが第１給水口として利用され、この第１給水口に接続される配水管が第１配水管となり、この第１配水管が連結される給水栓が第１給水栓（非常取水栓）となった。また、第１給水口を除く給水口２６ａ、２６ｃ、２６ｄが第２給水口として利用され、この第２給水口に接続される配水管が第２配水管となり、この第２配水管が連結される給水栓が第２給水栓となったが、これに限定される必要はなく、給水口２６ａ、２６ｂ、２６ｃ、２６ｄのうちの任意の給水口を第１給水口として利用し、その第１給水口となったものを除く給水口を第２給水口として利用することができる。
【００５５】
また、給水口２６ｂ（非常取水栓３０）を除く給水口２６ａ、２６ｃ、２６ｄから水道水を供給される給水栓１８ａ、１８ｃ、１８ｄの少なくとも１つには、加圧装置３４を接続するための接続口３２が形成される。
【００５６】
図３に示すように、この実施例では、洗面所の給水栓１８ｄに接続口３２が形成される。たとえば、給水栓１８ｄは、汎用の上水道用蛇口であり、ハウジング３６とバルブ３８と吐水口４０とを含み、配水管２８ｄからハウジング３６に流れ込んだ水道水が、バルブ３８を開くことによって吐水口４０から供給される。この実施例では、吐水口４０が接続口３２として兼用され、この吐水口４０に加圧装置３４が取り付けられることとなる。
【００５７】
加圧装置３４は、ポンプ４２と当該ポンプ４２から延びるホース４４とを含む。ポンプ４２には、汎用の自転車用フロアポンプなどの手動ポンプが用いられる。ホース４４は、たとえば汎用のビニールホースからなるホース本体４６と、当該ホース本体４６の先端に設けられた固定具４８とを含み、この固定具４８が給水栓１８ｄの吐水口４０（接続口３２）に気密的に接続される。固定具４８の接続方式には、図示は省略するが、ホースバンド締め式、ナット締込み式およびワンタッチ式など適宜な接続方式を用いるとよい。
【００５８】
図４―図５を参照して、このような給水システム１０において、地震が発生して断水したときのように、水道水に給水圧が作用しなくなる非常時に、貯水槽１２内に貯留された水道水を非常取水栓３０から取り出す方法を以下に示す。
【００５９】
先ず、浴室の給水栓１８ｂ（非常取水栓３０）と洗面所の給水栓１８ｄとを開放するとともに、それ以外の給水栓１８ａ，１８ｃを閉鎖する。
【００６０】
次に、洗面所の給水栓１８ｄの吐水口４０に加圧装置３４のホース４４を接続し、そのまま加圧装置３４のポンプ４２を作動させて、給水栓１８ｄから配水管２８ｄ内に空気を圧入する。すると、図４における破線矢印に示すように、配水管２８ｄ内に圧入された空気が、貯水槽１２へと導入され、貯水槽１２内が加圧される。
【００６１】
これにより、図５における破線矢印に示すように、貯水槽１２内に貯留されている水道水が配水管２８ａに送り出され、この水道水が給水栓１８ｂ（非常取水栓３０）に供給される。
【００６２】
このように、この実施例では、たとえば地震が発生して断水したときのように、水道水に給水圧が作用しなくなる非常時であっても、通常時には通常の給水栓として使用される給水栓１８ｄの接続口３２に加圧装置３４を接続して、貯水槽１２内を加圧するだけで、貯水槽１２内に貯留されている水道水を給水栓１８ｂ（非常取水栓３０）に供給することができる。すなわち、この実施例によれば、住宅１００の居住空間内に配置された接続口３２に加圧装置３４を接続することによって、貯水槽１２内に貯留された水道水を取り出すことができるため、貯水槽１２の設置場所に関わらず、さらにどのような天候および時間帯であっても、簡単に水道水を取り出すことができる。
【００６３】
さらに、この実施例では、通常時には通常の給水栓として使用される給水栓１８ａが非常取水栓３０として兼用されるとともに、給水栓１８ｄに接続口３２が形成される。このため、非常取水栓３０へと繋がる配水管２８ｂ内の水道水、ならびに接続口３２へと繋がる配水管２８ｄ内の水道水が生活用水として普段使用され、ほぼ滞留することなく清潔に保たれる。したがって、非常時にも、清潔な水道水を取り出すことができる。
【００６４】
また、たとえ軒下や床下などの重力取り出しできない場所に貯水槽１２が設置されていても、貯水槽１２内の水道水を取り出すことができるため、新築住宅のみならず、リフォームの際にも、住宅１００内の任意の空きスペースに貯水槽１２を設置することができる。
【００６５】
さらにまた、この実施例では、加圧装置３４のポンプ４２に手動ポンプが用いられる。このため、ポンプ４２を作動させるための電源が不要となり、節電されると共に、非常時に停電しても、貯水槽１２内を加圧することができる。すなわち、非常時に停電しても、この給水システム１０が利用可能となる。
【００６６】
さらに、この実施例では、貯水槽１２の最下部に設けられた給水口２６ｂに接続された配水管２８ｂが非常取水栓３０に連結される。このため、非常時にも、貯水槽１２に貯留されている水道水を無駄無く取り出すことができる。また、断水により、万が一貯水槽１２内に砂などの異物が入った場合にも、非常取水栓３０を利用すれば貯水槽１２内の異物を取り出すことができる。
【００６７】
なお、この実施例では、住宅１００内の各配水管２８ａ，２８ｂ，２８ｃ，２８ｄが貯水槽１２によって１つにまとめられたが、これに限定される必要はない。図６および図７に示すこの発明の他の一実施例である給水システム１０では、住宅１００内の各配水管２８ａ，２８ｂ，２８ｃ，２８ｄがヘッダ５０によって１つにまとめられる。以下、図１の実施例における給水システム１０と共通する部分については同じ番号を付し、重複する説明は省略する。
【００６８】
図６および図７に示すように、給水管１６は、ヘッダ５０の導入口５２に接続される。また、ヘッダ５０には、複数、この実施例では４つの分岐口５４ａ，５４ｂ，５４ｃ，５４ｄが設けられており、分岐口５４ｂには、配水管２８ｂが接続される。また、分岐口５４ｂを除く分岐口５４ａ，５４ｃ，５４ｄには、それぞれ配水管２８ａ、２８ｃ、２８ｄが接続される。
【００６９】
配水管２８ｂには、貯水手段としての貯水槽１２が設けられる。貯水槽１２は、１つの導入口２４と１つの給水口２６とを有しており、この導入口２４と給水口２６とに、それぞれ配水管２８ｂが接続される。配水管２８ｂは、キッチンの給水栓１８ｂに連結される。給水栓１８ｂは、通常時には通常の給水栓として使用されるが、地震が発生して断水したときのように、水道水に給水圧が作用しなくなる非常時には、非常取水栓３０として兼用される。
【００７０】
また、配水管２８ａは浴室の給水栓１８ａに連結される。また、配水管２８ｃはトイレの給水栓１８ｃに連結される。さらにまた、配水管２８ｄは洗面所の給水栓１８ｄに連結され、図示は省略するが、この給水栓１８ｄの吐水口４０が接続口３２として兼用される。
【００７１】
このような給水システム１０において、水道水に給水圧が作用しなくなる非常時に、貯水槽１２内に貯留された水道水を非常取水栓３０から取り出す方法を以下に示す。
【００７２】
先ず、キッチンの給水栓１８ｂ（非常取水栓３０）と洗面所の給水栓１８ｄとを開放するとともに、それ以外の給水栓１８ａ，１８ｃを閉鎖する。
【００７３】
次に、図示は省略するが、洗面所の給水栓１８ｄの吐水口４０（接続口３２）に加圧装置３４を接続し、給水栓１８ｄから配水管２８ｄ内に空気を圧入する。すると、配水管２８ｄ内に圧入された空気が、ヘッダ５０ならびに配水管２８ｂを介して貯水槽１２へと導入され、貯水槽１２内が加圧される。これにより、貯水槽１２内に貯留されている水道水が給水栓１８ｂ（非常取水栓３０）に供給される。
【００７４】
このように、この実施例においても、貯水槽１２の設置場所に関わらず、さらにどのような天候および時間帯であっても、簡単に水道水を取り出すことができる。
【００７５】
なお、この実施例では、ヘッダ５０の分岐口５４ａ，５４ｂ，５４ｃ，５４ｄのうち、分岐口５４ｂが第１分岐口として利用され、この第１分岐口から水道水が供給される配水管２８ｂが第１配水管となり、第１配水管には、貯水槽１２が設けられ、その第１配水管が連結される給水栓１８ｂが第１給水栓（非常取水栓３０）となった。また、分岐口５４ｂを除く分岐口５４ａ，５４ｃ，５４ｄが第２分岐口として利用され、これらの第２分岐口から水道水が供給される配水管２８ａ、２８ｃ、２８ｄが第２配水管となり、第２配水管が連結される給水栓１８ａ、１８ｃ、１８ｄが第２給水栓となったが、これに限定される必要はなく、分岐口５４ａ，５４ｂ，５４ｃ，５４ｄのうちの任意の分岐口を第１分岐口として利用し、その第１分岐口を除く分岐口を第２分岐口として利用してもよく、さらに、配水管２８ａ、２８ｃ、２８ｄのうちのどの配水管に貯水槽１２が設けられていてもよい。要は、貯水槽１２が設けられる配水管から水道水を供給される給水栓を第１給水栓（非常取水栓３０）として使用する、または貯水槽１２が設けられる配水管から水道水を供給される給水栓の吐水口４０（接続口３２）から貯水槽１２内を加圧するのであれば、貯水槽１２内に貯留された水道水を非常取水栓３０から取り出すことができる。
【００７６】
また、この実施例では、貯水手段として、１つの給水口２６を有する貯水槽１２が配水管２６ｂに設けられたが、これに限定される必要はない。たとえば、図８に示すように、貯水手段として、複数の給水口２６ａ、２６ｂ、２６ｃを有する貯水槽１２を使用することもできる。この場合には、貯水槽１２の給水口２６ａ、２６ｂ、２６ｃのうち最下部に位置する給水口２６ｂを第１給水口として利用し、この第１給水口に接続される配水管２８ｂを第１配水管とし、この第１配水管が連結される給水栓１８ｂを第１給水栓（非常取水栓３０）とすると好適である。そして、ヘッダ５０の第２分岐口から水道水が供給される配水管２８ｄに加えて、第１給水口を除く給水口２６ａ、２６ｃに接続される配水管２８ａ，２８ｃも第２配水管となり、それらの第２配水管が連結される給水栓１８ａ，１８ｃ，１８ｄも第２給水栓となる。
【００７７】
図９に示すこの発明のさらに他の一実施例では、給水システム１０が複数の貯水槽１２ａ，１２ｂを備えている。以下、図６の実施例における給水システム１０と共通する部分については同じ番号を付し、重複する説明は省略する。
【００７８】
図９に示すように、ヘッダ５０の分岐口５４ｂ，５４ｄには、それぞれ配水管２８ｂ，２８ｄが接続され、これらの配水管２８ｂ，２８ｄには、それぞれ貯水手段としての貯水槽１２ａ，１２ｂが設けられる。具体的には、配水管２８ｂには、貯水槽１２ａが設けられる。配水管２８ｂは、キッチンの給水栓１８ｂに連結される。また、配水管２８ｄには、貯水槽１２ｂが設けられる。配水管２８ｄは、洗面所の給水栓１８ｄに連結される。給水栓１８ｂ，１８ｄは、通常時には通常の給水栓として使用されるが、地震が発生して断水したときのように、水道水に給水圧が作用しなくなる非常時には、非常取水栓３０として使用される。
【００７９】
また、分岐口５４ｂを除く分岐口５４ａ，５４ｃには、それぞれ配水管２８ａ、２８ｃが接続される。配水管２８ａは、浴室の給水栓１８ａに連結され、図示は省略するが、この給水栓１８ａの吐水口４０が接続口３２として兼用される。さらに、配水管２８ｃは、トイレの給水栓１８ｃに連結される。
【００８０】
このような給水システム１０において、水道水に給水圧が作用しなくなる非常時に、貯水槽１２ａ，１２ｂ内に貯留された水道水を非常取水栓３０から取り出す方法を以下に示す。
【００８１】
先ず、浴室の給水栓１８ａとキッチンの給水栓１８ｂ（非常取水栓３０）と洗面所の給水栓１８ｄ（非常取水栓３０）とを開放するとともに、給水栓１８ｃを閉鎖する。
【００８２】
次に、図示は省略するが、浴室の給水栓１８ａの吐水口４０（接続口３２）に加圧装置３４を接続し、給水栓１８ａから配水管２８ａ内に空気を圧入する。すると、配水管２８ａ内に圧入された空気が、ヘッダ５０ならびに配水管２８ｂを介して貯水槽１２ａへと導入され、貯水槽１２ａ内が加圧される。また、配水管２８ａ内に圧入された空気が、ヘッダ５０ならびに配水管２８ｄを介して貯水槽１２ｂへと導入され、貯水槽１２ｂ内が加圧される。これにより、貯水槽１２ａ，１２ｂ内に貯留されている水道水が給水栓１８ｂ，１８ｄ（非常取水栓３０）に供給される。
【００８３】
このように、この実施例においても、貯水槽１２の設置場所に関わらず、さらにどのような天候および時間帯であっても、簡単に水道水を取り出すことができる。
【００８４】
なお、この実施例では、貯水槽１２内に貯留された水道水を取り出すときに、キッチンの給水栓１８ｂならびに洗面所の給水栓１８ｄを非常取水栓３０として使用したが、これに限定される必要はない。
【００８５】
たとえば、浴室の給水栓１８ａとキッチンの給水栓１８ｂとを開放するとともに、それ以外の給水栓１８ｃ，１８ｄを閉鎖する場合には、浴室の給水栓１８ａの吐水口４０（接続口３２）に加圧装置３４を接続し、給水栓１８ａから配水管２８ａ内に空気を圧入すると、配水管２８ａ内に圧入された空気が、ヘッダ５０ならびに配水管２８ｂを介して貯水槽１２ａへと導入され、貯水槽１２ａ内が加圧される。つまり、この場合には、貯水槽１２ａ内に貯留されている水道水のみを給水栓１８ｂ（非常取水栓３０）に供給することができる。
【００８６】
また、浴室の給水栓１８ａと洗面所の給水栓１８ｄとを開放するとともに、それ以外の給水栓１８ｂ，１８ｃを閉鎖する場合には、浴室の給水栓１８ａの吐水口４０（接続口３２）に加圧装置３４のホース４４を接続し、給水栓１８ａから配水管２８ａ内に空気を圧入すると、配水管２８ａ内に圧入された空気が、ヘッダ５０ならびに配水管２８ｄを介して貯水槽１２ｂへと導入され、貯水槽１２ｂ内が加圧される。つまり、この場合には、貯水槽１２ｂ内に貯留されている水道水のみを給水栓１８ｄ（非常取水栓３０）に供給することができる。
【００８７】
さらにまた、キッチンの給水栓１８ｂを非常取水栓３０として使用し、洗面所の給水栓１８ｄの他方に接続口３２を形成する場合には、キッチンの給水栓１８ｂと洗面所の給水栓１８ｄとを開放するとともに、それ以外の給水栓１８ａ，１８ｃを閉鎖する。そして、給水栓１８ｄの吐水口４０（接続口３２）に加圧装置３４を接続し、給水栓１８ｄから配水管２８ｄ内に空気を圧入すると、配水管２８ｄ内に圧入された空気が貯水槽１２ｂへと導入され、貯水槽１２ｂ内が加圧される。そして、そのまま配水管２８ｄ内に圧入された空気が、ヘッダ５０ならびに配水管２８ｂを介して貯水槽１２ａへと導入され、貯水槽１２ａ内も加圧される。このように、給水栓１８ｂおよび給水栓１８ｄのいずれか一方を非常取水栓３０として使用し、給水栓１８ｂおよび給水栓１８ｄの他方に接続口３２を形成することで、貯水槽１２ａ，１２ｂ内に貯留されている水道水をまとめて給水栓１８ｂ（非常取水栓３０）に供給することができる。
【００８８】
図１０に示すこの発明のさらに他の一実施例である給水システム１０では、給水栓１８ａ，１８ｂ，１８ｃ，１８ｄ毎に分岐継手５６，６０，６４を用いて配水管２８ａ，２８ｂ，２８ｃ，２８ｄを順次分岐する先分岐配管が適用される。以下、図１の実施例における給水システム１０と共通する部分については同じ番号を付し、重複する説明は省略する。
【００８９】
図１０に示すように、給水管１６は、分岐継手５６に接続される。分岐継手５６は、たとえば汎用のチーズ継手であり、その受口５６ａには、配水管２８ａが接続される。配水管２８ａは、浴室の給水栓１８ａに連結され、図示は省略するが、この給水栓１８ａの吐水口４０が接続口３２として兼用される。また、分岐継手５６の受口５６ｂには、導水管５８が接続され、この導水管５８によって、分岐継手５６と分岐継手６０とが接続される。
【００９０】
分岐継手６０の受口６０ａには、配水管２８ｂが接続される。配水管２８ｂは、キッチンの給水栓１８ｂに連結される。さらに、分岐継手６０の受口６０ｂには、導水管６２が接続され、この導水管６２によって、分岐継手６０と分岐継手６４とが接続される。分岐継手６４の受口６４ａには、配水管２８ｃが接続される。配水管２８ｃは、トイレの給水栓１８ｃに連結される。また、分岐継手６４の受口６４ｂには、配水管２８ｄが接続される。配水管２８ｄには、貯水手段としての貯水槽１２が設けられる。配水管２８ｄは、洗面所の給水栓１８ｄに連結され、通常時には通常の給水栓として使用されるが、地震が発生して断水したときのように、水道水に給水圧が作用しなくなる非常時には、非常取水栓３０として兼用される。
【００９１】
このような給水システム１０において、水道水に給水圧が作用しなくなる非常時に、貯水槽１２内に貯留された水道水を非常取水栓３０から取り出す方法を以下に示す。
【００９２】
先ず、浴室の給水栓１８ａと洗面所の給水栓１８ｄ（非常取水栓３０）とを開放するとともに、それ以外の給水栓１８ｂ，１８ｃを閉鎖する。そして、図示は省略するが、洗面所の給水栓１８ａの吐水口４０（接続口３２）に加圧装置３４を接続し、加圧装置３４のポンプ４２を作動させて、給水栓１８ａから配水管２８ａ内に空気を圧入する。すると、配水管２８ａ内に圧入された空気が、分岐継手５６，６０，６４や導水管５８，６２を介して貯水槽１２へと導入され、貯水槽１２内が加圧される。これにより、貯水槽１２内に貯留されている水道水が配水管２８ｄに送り出され、この水道水が給水栓１８ｄ（非常取水栓３０）に供給される。
【００９３】
このように、この実施例においても、貯水槽１２の設置場所に関わらず、さらにどのような天候および時間帯であっても、簡単に水道水を取り出すことができる。
【００９４】
ところで、上述の各実施例ではいずれも、水道水の逆流を防止する逆止弁２０が給水管１６に設けられ、給水システム１０は、給水管１６から供給された水道水を住宅１００内の各給水栓１８ａ，１８ｂ，１８ｃ，１８ｄに供給したが、これに限定される必要はなく、給水システム１０は、住宅１００内の給水系管路の少なくとも一部に適用されていればよい。
【００９５】
たとえば、図１に示す実施例のように、住宅１００内の各配水管２８ａ，２８ｂ，２８ｃ，２８ｄが貯水槽１２によって１つにまとめている場合には、貯水槽１２の導入口２４よりも上流側に逆止弁２０が設けられていればよい。また、図６、図８、図９に示す実施例のように、住宅１００内の各配水管２８ａ，２８ｂ，２８ｃ，２８ｄを給水ヘッダ５０によって１つにまとめている場合には、ヘッダ５０の導入口５２よりも上流側に逆止弁２０が設けられていればよい。さらに、図１０に示す実施例のように、分岐継手５６，６０，６４を用いて各配水管２８ａ，２８ｂ，２８ｃ，２８ｄを順次分岐する場合には、最も上流側に配置される分岐継手５６よりも上流側に逆止弁２０が設けられていればよい。
【００９６】
また、図１１に示すこの発明のさらに他の一実施例では、水道水の逆流を防止する逆止弁２０が導水管５８に設けられ、給水システム１０は、導水管５８から供給された水道水を住宅１００内の給水栓１８ｂ、１８ｃ、１８ｄに供給する。
【００９７】
具体的には、図１１に示すように、給水管１６は、分岐継手５６に接続される。分岐継手５６の受口５６ａには、配水管２８ａが接続され、この配水管２８ａは、浴室の給水栓１８ａに連結される。
【００９８】
分岐継手５６の受口５６ｂには、導水管５８の一方端が接続され、この導水管５８の他方端は、貯水槽１２の導入口２４に接続される。導水管５８には、水道水の逆流を防止する逆止弁２０が設けられる。
【００９９】
貯水槽１２の給水口２６には、それぞれ配水管２８ｂ，２８ｃ，２８ｄが接続される。配水管２８ｂは、キッチンの給水栓１８ｂに連結され、この給水栓１８ｂは、通常時には通常の給水栓として使用されるが、地震が発生して断水したときのように、水道水に給水圧が作用しなくなる非常時には、非常取水栓３０として使用される。また、配水管２８ｃはトイレの給水栓１８ｃに連結される。さらにまた、配水管２８ｄは、洗面所の給水栓１８ｄに連結され、図示は省略するが、この給水栓１８ｄの吐水口４０が接続口３２として兼用される。
【０１００】
このような給水システム１０において、水道水に給水圧が作用しなくなる非常時に、貯水槽１２内に貯留された水道水を非常取水栓３０から取り出す場合には、先ず、キッチンの給水栓１８ｂ（非常取水栓３０）と洗面所の給水栓１８ｄとを開放するとともに、給水栓１８ｃを閉鎖する。そして、洗面所の給水栓１８ｄの吐水口４０（接続口３２）に加圧装置３４を接続し、そのまま加圧装置３４のポンプ４２を作動させて、給水栓１８ｄから配水管２８ｄ内に空気を圧入する。すると、配水管２８ｄ内に圧入された空気が貯水槽１２へと導入され、貯水槽１２内に貯留されている水道水が配水管２８ｂに送り出されて、この水道水が給水栓１８ｂ（非常取水栓３０）に供給される。
【０１０１】
さらに、図１２に示すこの発明のさらに他の一実施例では、図１１の実施例と同様に、水道水の逆流を防止する逆止弁２０が導水管５８に設けられ、給水システム１０は、導水管５８から供給された水道水を住宅１００内の給水栓１８ｂ、１８ｃ、１８ｄに供給する。
【０１０２】
具体的には、図１２に示すように、給水管１６は、分岐継手５６に接続される。分岐継手５６の受口５６ａには、配水管２８ａが接続され、この配水管２８ａは、浴室の給水栓１８ａに連結される。
【０１０３】
分岐継手５６の受口５６ｂには、導水管５８の一方端が接続され、この導水管５８の他方端は、分岐継手６０に接続される。導水管５８には、水道水の逆流を防止する逆止弁２０が設けられる。
【０１０４】
分岐継手６０の受口６０ａには、配水管２８ｂが接続される。配水管２８ｂは、キッチンの給水栓１８ｂに連結され、この給水栓１８ｄは、通常時には通常の給水栓として使用されるが、地震が発生して断水したときのように、水道水に給水圧が作用しなくなる非常時には、非常取水栓３０として使用される。
【０１０５】
分岐継手６０の受口６０ｂには、導水管６２の一方端が接続され、この導水管６２の他方端は、貯水槽１２の導入口２４に接続される。貯水槽１２の給水口２６には、それぞれ配水管２８ｃ、２８ｄが接続される。配水管２８ｃはトイレの給水栓１８ｃに連結される。また、配水管２８ｄは、洗面所の給水栓１８ｄに連結され、図示は省略するが、この給水栓１８ｄの吐水口４０が接続口３２として兼用される。
【０１０６】
このような給水システム１０において、水道水に給水圧が作用しなくなる非常時に、貯水槽１２内に貯留された水道水を非常取水栓３０から取り出す場合には、先ず、キッチンの給水栓１８ｂ（非常取水栓３０）と洗面所の給水栓１８ｄとを開放するとともに、給水栓１８ｃを閉鎖する。そして、洗面所の給水栓１８ｄの吐水口４０（接続口３２）に加圧装置３４を接続し、そのまま加圧装置３４のポンプ４２を作動させて、給水栓１８ｄから配水管２８ｄ内に空気を圧入する。すると、配水管２８ｄ内に圧入された空気が貯水槽１２へと導入され、貯水槽１２内に貯留されている水道水が配水管２８ｂに送り出されて、この水道水が給水栓１８ｂ（非常取水栓３０）に供給される。
【０１０７】
このように、図１１および図１２に示す実施例では、給水システム１０が、住宅１００内の給水系管路の一部、具体的には、住宅１００内の給水系管路における逆止弁２０よりも下流側に適用される。これらの実施例においても、貯水槽１２の設置場所に関わらず、さらにどのような天候および時間帯であっても、簡単に水道水を取り出すことができる。
【０１０８】
なお、図１１および図１２に示す実施例では、水道水の逆流を防止する逆止弁２０が導水管６０に設けられ、この逆止弁２０よりも下流側に配置される配水管２８ｂ，２８ｃ，２８ｄのうち配水管２８ｂが第１配水管となり、第１配水管が連結される給水栓１８ｂが第１給水栓（非常取水栓３０）となる。そして、第１配水管を除く配水管２８ｃ，２８ｄが第２配水管となり、この第２配水管が連結される給水栓が第２給水栓となった。ただし、これに限定される必要はなく、逆止弁２０よりも下流側に配置される配水管２８ｂ，２８ｃ，２８ｄのうち貯水槽１２の給水口２６に接続される配水管から水道水を供給される給水栓を第１給水栓（非常取水栓３０）として使用する、または貯水槽１２の給水口２６に接続される配水管から水道水を供給される給水栓の吐水口４０（接続口３２）から貯水槽１２内を加圧するのであれば、貯水槽１２内に貯留された水道水を非常取水栓３０から取り出すことが可能である。
【０１０９】
さらにまた、上述の各実施例ではいずれも、給水栓１８の吐水口４０が接続口３２として兼用されたが、これに限定される必要はない。
【０１１０】
図１３および図１４に示すこの発明のさらに他の一実施例である給水システム１０では、給水栓１８に分岐部６６が形成されて、この分岐部６６に接続口３２が形成される。
【０１１１】
図１３および図１４に示すように、給水栓１８ｄのハウジング３６には、バルブ３８よりも上流側に分岐部６６が形成される。分岐部６６は、第１ジョイント部６８を含み、この第１ジョイント部６８には、詳細は後に説明するように、加圧装置３４の第２ジョイント部７８が接続される。つまり、この実施例では、分岐部６６の第１ジョイント部６８が接続口３２として機能する。
【０１１２】
なお、第１ジョイント部６８と第２ジョイント部７８とには、逆止弁を有するワンタッチ式の接続構造であれば、任意の接続構造を採用することができる。このため、図１３では、第１ジョイント部６８と第２ジョイント部７８との接続構造について正確には図解していないことに留意されたい。
【０１１３】
一例を挙げると、第１ジョイント部６８は、ハウジング３６から側方に突出するジョイント本体７０を含む。ジョイント本体７０の外周には、Ｏ（オー）リング状のストッパ７２が設けられる。また、ジョイント本体６６の内部には、弁棒７６を有する逆止弁７４が設けられる。逆止弁７４の弁棒７６は、切欠棒体で構成されており、その外周に戻しバネ（図示せず）が外嵌されおり、詳細は後述するが、第２ジョイント部７８の押込棒（図示せず）に押し込まれることによって、逆止弁７４が開く。
【０１１４】
また、第２ジョイント部７８は、ジョイント本体７０を収容するアダプタ８０を含み、加圧装置３４のホース４４の先端部に設けられる。アダプタ８０の内部には、逆止弁７４の弁棒７６を押し込むための押込棒（図示せず）が設けられている。また、アダプタ８０の外周には、第１ジョイント部６８のストッパ７２を係止する略Ｌ字状のロックレバー８２が設けられている。
【０１１５】
したがって、ホース４４側の第２ジョイント部７８のアダプタ８０を第１ジョイント部６８のジョイント本体７０に外嵌させて、当該第２ジョイント部７８のロックレバー８２をストッパ７２に係止させることによって、加圧装置３４のホース４４と給水栓１８ｄの分岐口５０とをワンタッチで接続できるとともに、逆止弁７４が開き、加圧装置３４から給水栓１８ｄに空気を圧入することができる。
【０１１６】
また、ロックレバー８２をストッパ７２から取り外し、アダプタ８０を第１ジョイント部６８のジョイント本体７０から引き抜くだけで、逆止弁７４は閉じ、ハウジング３６内に供給された水道水が外部に漏れ出すことが防止される。
【０１１７】
このような給水システム１０において、水道水に給水圧が作用しなくなる非常時に、貯水槽１２内に貯留された水道水を非常取水栓３０から取り出す場合には、先ず、キッチンの給水栓１８ｂ（非常取水栓３０）を開放するとともに、それ以外の給水栓１８ａ，１８ｃ，１８ｄを閉鎖する。そして、給水栓１８ｄの第１ジョイント部６８（接続口３２）に加圧装置３４の第２ジョイント部７８を接続して、そのまま加圧装置３４のポンプ４２を作動させる。これにより、貯水槽１２内に貯留されている水道水を給水栓１８ｂ（非常取水栓３０）から取り出すことができる。
【０１１８】
なお、この実施例では、給水栓１８ｄに分岐部６６が形成されたが、これに限定される必要はない。
【０１１９】
たとえば、図１５に示すように、配水管２８ｄに分岐部６６を形成することもできる。この場合には、分岐部６６を、たとえば加圧装置３４を簡単に接続することができるように、配水管２８ｄにおけるシンク下の収納スペースに相当する位置などに分岐部６６を形成すると好適である。
【０１２０】
ただし、加圧装置３４を簡単に接続することができる位置に分岐部６６を形成するのであれば、配水管２８ｄにおけるシンク下の収納スペースでなくてもよい。要は、逆止弁２０よりも下流側の水道水を給水栓に供給する配水管、つまり逆止弁２０よりも下流側に配置される配水管に分岐部６６を形成するのであれば、分岐部６６の第１ジョイント部６８（接続口３２）から貯水槽１２内を加圧することで、貯水槽１２内に貯留された水道水を非常取水栓３０から取り出すことが可能である。
【０１２１】
具体的には、図示は省略するが、貯水槽１２が設けられている配水管であって、かつ貯水槽１２よりも上流側に分岐部６６を形成する場合には、その分岐部６６が形成されている配水管から水道水を供給される給水栓を非常取水栓３０として開放するとともに、それ以外の給水栓を閉鎖し、分岐部６６の第１ジョイント部６８（接続口３２）から貯水槽１２内を加圧することで、貯水槽１２内に貯留されている水道水を給水栓（非常取水栓３０）から取り出すことが可能である。
【０１２２】
また、図示は省略するが、貯水槽１２が設けられている配水管であって、かつ貯水槽１２よりも下流側に分岐部６６が形成される場合には、その分岐部６６が形成されている配水管を除く他の配水管から水道水を供給される給水栓を非常取水栓３０として開放するとともに、それ以外の給水栓を閉鎖し、分岐部６６の第１ジョイント部６８（接続口３２）から貯水槽１２内を加圧することで、貯水槽１２内に貯留されている水道水を給水栓（非常取水栓３０）から取り出すことが可能である。
【０１２３】
さらにまた、図示は省略するが、貯水槽１２が設けられている配水管とは異なる配水管に分岐部６６が形成される場合には、貯水槽１２が設けられている配水管から水道水を供給される給水栓を非常取水栓３０として開放するとともに、それ以外の給水栓を閉鎖し、分岐部６６の第１ジョイント部６８（接続口３２）から貯水槽１２内を加圧することで、貯水槽１２内に貯留されている水道水を給水栓（非常取水栓３０）から取り出すことが可能である。
【０１２４】
図１６―図１８に示すこの発明のさらに他の一実施例である給水システム１０では、住宅１００の居住空間に面するパネル体１０２にコンセント部８８が設置され、このコンセント部８８に加圧装置３４が取り付けられる。
【０１２５】
図１６に示すように、貯水槽１２には、配水管２８ａ、２８ｂ、２８ｃ、２８ｄが接続される。配水管２８ａは、浴室の給水栓１８ａに連結される。また、配水管２８ｂは、貯水槽１２の最下部に位置する給水口に接続されて、キッチンの給水栓１８ｂに連結される。さらに、配水管２８ｃはトイレの給水栓１８ｃに、ならびに配水管２８ｄは洗面所の給水栓１８ｄに連結される。給水口２６ｂから水道水を供給される給水栓１８ｂは、通常時には通常の給水栓として使用されるが、地震が発生して断水したときのように、水道水に給水圧が作用しなくなる非常時には、非常取水栓３０として兼用される。
【０１２６】
また、配水管２８ｄには、分岐部８４が形成される。分岐部８４は、たとえば、汎用のチーズ継手であり、３つの受口８４ａ，８４ｂ，８４ｃを有しており、その１つの受口８４ａに分岐管８６の一方端が接続され、それと９０度の位置にある２つの受口８４ｂ，８４ｃにそれぞれ配水管２８ｄが接続される。なお、受口８４ａには、分岐部８４内の水道水が分岐管８６内へ流入しないようにするための逆止弁（図示せず）が設けられている。
【０１２７】
分岐管８６は、分岐部８４から壁１０２裏側を延び、その他方端がコンセント部８８に接続される。すなわち、分岐部８４とコンセント部８８とは、分岐管８６を介して連通されている。
【０１２８】
図１７および図１８に示すように、コンセント部８８は、住宅１００の居住空間に面するパネル体１０２に設置され、この実施例では、キッチンの壁の下部に設置される。
【０１２９】
ここで、住宅１００の居住空間に面するパネル体１０２とは、壁のみならず、床や天井などを含む概念であり、住宅１００内において日常生活を送る上での生活圏内にある平滑な板体を意味する。したがって、たとえば、床下収納庫の内部にコンセント部８８を設けてもよい。また、たとえば、玄関の下駄箱やクローゼットの内部にコンセント部８８を設けてもよい。さらに、たとえば、ユニットバス、洗面化粧台、システムキッチンなどの水周り設備に予めコンセント部８８を設けてもよい。
【０１３０】
コンセント部８８の壁１０２裏側には、分岐管接続部９０が形成されており、この分岐管接続部９０に分岐管８６が接続される。また、壁１０２表側には加圧装置３４のホース４４が接続されるホース接続部９２が形成されている。そして、分岐管接続部９０とホース接続部９２とが、コンセント部８８の内部に形成された連通部９４によって連通されている。
【０１３１】
コンセント部８８のホース接続部９２は、第１ジョイント部６８を含み、上述したように、この第１ジョイント部６８に加圧装置３４の第２ジョイント部７８が接続される。すなわち、この実施例では、ホース接続部９２の第１ジョイント部６８が接続口３２として機能する。
【０１３２】
このような給水システム１０において、水道水に給水圧が作用しなくなる非常時に、貯水槽１２内に貯留された水道水を非常取水栓３０から取り出す場合には、先ず、キッチンの給水栓１８ｂ（非常取水栓３０）を開放するとともに、それ以外の給水栓１８ａ，１８ｃ，１８ｄを閉鎖する。そして、コンセント部８８のホース接続部９２の第１ジョイント部６８（接続口３２）に加圧装置３４の第２ジョイント部７８を接続して、そのまま加圧装置３４のポンプ４２を作動させる。これにより、貯水槽１２内に貯留されている水道水を給水栓１８ｂ（非常取水栓３０）から取り出すことができる。
【０１３３】
このように、この実施例においても、貯水槽１２の設置場所に関わらず、さらにどのような天候および時間帯であっても、簡単に水道水を取り出すことができる。
【０１３４】
さらに、この実施例では、分岐管８６内に水道水が流入することがなく、さらに分岐部８０や当該分岐部８０が設けられる配水管２８ｄ内の水道水が生活用水として普段使用されるため、非常時にも、清潔な水道水を取り出すことができる。
【０１３５】
また、たとえば非常取水栓３０を視覚できる範囲内にコンセント部８８を設置することによって、非常取水栓３０から取り出される水道水の流出状態を確認しながら貯水槽１２内を加圧することができる。
【０１３６】
なお、この実施例では、コンセント部８８は、キッチンの壁の下部に設置されたが、これに限定される必要はなく、住宅１００の居住空間に面しているパネル体１０２に設置されていればよい。
【０１３７】
また、この実施例では、住宅１００内の各給水栓１８ａ，１８ｂ，１８ｃ，１８ｄに連結される配水管２８ａ，２８ｂ，２８ｃ，２８ｄが貯水槽１２によって１つにまとめられたが、たとえば、図６、図８、図９に示す実施例のように、住宅１００内の各配水管２８ａ，２８ｂ，２８ｃ，２８ｄを給水ヘッダ５０によって１つにまとめるようにしてもよく、さらに、図１０に示す実施例のように、住宅１００内の各配水管２８ａ，２８ｂ，２８ｃ，２８ｄを分岐継手５６，６０，６４を用いて順次分岐するようにしてもよいことは言うまでもない。
【０１３８】
さらに、この実施例では、水道水の逆流を防止する逆止弁２０が給水管１６に設けられ、給水システム１０は、給水管１６から供給された水道水を住宅１００内の各給水栓１８ａ，１８ｂ，１８ｃ，１８ｄに供給したが、これに限定される必要はなく、給水システム１０は、上述したように、住宅１００内の給水系管路の少なくとも一部に適用されていればよい。
【０１３９】
たとえば、図１９に示すように、給水栓１８ａ，１８ｂ，１８ｃ，１８ｄ毎に分岐継手５６，６０，６４を用いて配水管２８ａ，２８ｂ，２８ｃ，２８ｄが順次分岐される場合に、配水管２８ｄに逆止弁２０を設け、配水管２８ｄにおける逆止弁２０よりも下流側に分岐部８４を形成し、さらに配水管２８ｄにおける分岐部８４よりも下流側に貯水槽１２を設けると、水道水に給水圧が作用しなくなる非常時にも、コンセント部８８の第１ジョイント部６８（接続口３２）から貯水槽１２内を加圧することで、貯水槽１２内に貯留された水道水を給水栓１８ｄ（非常取水栓３０）から取り出すことができる。
【０１４０】
また、たとえば、図２０に示すように、住宅１００内の各給水栓１８ａ，１８ｂ，１８ｃ，１８ｄに連結される配水管２８ａ，２８ｂ，２８ｃ，２８ｄが貯水槽１２によって１つにまとめられる場合に、給水管１６の逆止弁２０の下流側の位置に分岐部８４を形成すると、水道水に給水圧が作用しなくなる非常時にも、コンセント部８８の第１ジョイント部６８（接続口３２）から貯水槽１２内を加圧することで、貯水槽１２内に貯留された水道水を給水栓１８ｄ（非常取水栓３０）から取り出すことができる。
【０１４１】
要は、逆止弁２０よりも下流側の水道水を給水栓に供給する配水管、つまり逆止弁２０よりも下流側に配置される配水管に分岐部８４を形成するのであれば、コンセント部８８の第１ジョイント部６８（接続口３２）から貯水槽１２内を加圧することで、貯水槽１２内に貯留された水道水を非常取水栓３０から取り出すことが可能である。
【０１４２】
具体的には、図示は省略するが、貯水槽１２が設けられている配水管であって、かつ貯水槽１２よりも上流側に分岐部８４を形成する場合には、その分岐部８４が形成されている配水管から水道水を供給される給水栓を非常取水栓３０として開放するとともに、それ以外の給水栓を閉鎖し、コンセント部８８の第１ジョイント部６８（接続口３２）から貯水槽１２内を加圧することで、貯水槽１２内に貯留されている水道水を給水栓（非常取水栓３０）から取り出すことが可能である。
【０１４３】
また、図示は省略するが、貯水槽１２が設けられている配水管であって、かつ貯水槽１２よりも下流側に分岐部８４が形成される場合には、その分岐部８４が形成されている配水管を除く他の配水管から水道水を供給される給水栓を非常取水栓３０として開放するとともに、それ以外の給水栓を閉鎖し、コンセント部８８の第１ジョイント部６８（接続口３２）から貯水槽１２内を加圧することで、貯水槽１２内に貯留されている水道水を給水栓（非常取水栓３０）から取り出すことが可能である。
【０１４４】
さらにまた、図示は省略するが、貯水槽１２が設けられている配水管とは異なる配水管に分岐部８４が形成される場合には、貯水槽１２が設けられている配水管から水道水を供給される給水栓を非常取水栓３０として開放するとともに、それ以外の給水栓を閉鎖し、コンセント部８８の第１ジョイント部６８（接続口３２）から貯水槽１２内を加圧することで、貯水槽１２内に貯留されている水道水を給水栓（非常取水栓３０）から取り出すことが可能である。
【０１４５】
さらにまた、逆止弁２０よりも下流側に配置される配水管に分岐部８４を形成する必要もない。たとえば、図２１に示すように、貯水槽１２のたとえば端面２０に分岐部８４を形成して、その分岐部８４に分岐管８６の一方端を接続してもよい。なお、分岐部８４には、貯水槽１２内の水道水が分岐管８６へ流入しないようにするための逆止弁（図示せず）が設けられている。そして、分岐管８６の他方端は、たとえばキッチンの壁に設置されたコンセント部８８に接続される。
【０１４６】
さらに、たとえば、図示は省略するが、貯水槽１２をコンセント部８８が設けられたパネル体１０２のすぐ裏側に設置して、そのコンセント部８８の分岐管接続部９０を直接貯水槽１２に接続することもできる。
【０１４７】
さらにまた、たとえば、図示は省略するが、分岐管８６の他方端を接続口３２としてそのままキッチンのシンク下の収納スペースなどに配置してもよい。この場合には、パネル体１０２にコンセント部８８を設置する必要がない。
【０１４８】
また、幼児などによる誤使用を防止するために、コンセント部８８のホース接続部９２を開閉自在に覆うコンセントカバーを設けてもよい。
【０１４９】
さらに、上述の各実施例ではいずれも、自転車用のフロアポンプをポンプ４２に用いたが、これに限定される必要はなく、貯水槽１２内を加圧して非常給水栓３０から水道水を取り出すことができるのであれば、フットポンプや自転車の携帯用空気入れ（インフレーター）をポンプ４２に用いることもできる。
【０１５０】
さらにまた、図示は省略するが、比較的小型の自転車の携帯用空気入れ（インフレーター）を用いる場合には、たとえばコンセント部８８の近傍の壁１０２に加圧装置３４を収容するためのケーシングを設け、このケーシングに加圧装置３４を収容しておいてもよい。
【０１５１】
さらに、図示は省略するが、手動ポンプに限定される必要もなく、ポンプ４２に電動ポンプを用いることもできる。この場合には、たとえば、ポンプ４２は、蓄電池に接続され、蓄電池が家庭用電源などに接続される。蓄電池は、通常時家庭用電源などから充電される。そして、非常時に蓄電池によってポンプ４２を作動させると、ポンプ４２の圧力により貯水槽１２内が加圧されて、貯水槽１２内の水道水が給水栓１８ｄに供給される。
【０１５２】
さらにまた、上述の各実施例ではいずれも、第１給水栓とされる給水栓１８ｂと、第２給水栓とされる給水栓１８ａ，１８ｃ，１８ｄとが明確に区別されたが、これに限定される必要はなく、給水栓に第１給水栓と第２給水栓とを兼用させることもできる。たとえば、複数の給水栓を非常取水栓３０として利用する場合には、非常取水栓３０に加圧装置３４を接続するための接続口３２を形成することもできる。同様に、接続口３２が形成された給水栓から貯水槽１２内に貯留された水道水を取り出すこともできる。たとえば、貯水槽１２の中央部に位置する給水口２６と当該貯水槽１２の最下部に位置する給水口２６とを第１給水口として利用すれば、その残量を確認しながら貯留水を取り出すことができるため、好適である。
【０１５３】
なお、上述の実施例における「住宅」とは、一戸建ての住宅のみならず、マンションなどの集合住宅を構成する各住戸を含む概念である。
【０１５４】
ここで、たとえば、集合住宅に設置される１つの共用タンクから、当該集合住宅を構成する各住戸に水道水を供給する場合には、非常時にいずれかの１戸が大量に水を使用すると、共用タンク内の貯留水がなくなってしまう。しかしながら、集合住宅を構成する各住戸の給水系管路に給水システムを適用することによって、各住戸、すなわち各家庭ごとに独立して貯留水を使用することができる。
【０１５５】
また、給水システム１０は、住宅１００内の給水系管路ないしその給水系管路の一部に適用されたが、これに限定される必要はなく、たとえばこの給水システム１０を学校や商業施設などの建物の給水管路系に適用してもよい。
【０１５６】
さらにまた、上述の各実施例ではいずれも、貯水手段として貯水槽１２が用いられたが、これに限定される必要はない。たとえば、貯水手段として、ガス給湯システムやヒートポンプ式エコ給湯システム等の給湯タンクを利用することもできる。また、貯水手段は、タンク状に形成される必要もなく、長尺の配水管を巻回したものを貯水手段として利用することもできる。要は、水道水を一定量以上貯めることができる機構があれば、それを貯水手段として利用することができる。
【０１５７】
なお、上述した径や高さ等の具体的数値は、いずれも単なる一例であり、必要に応じて適宜変更可能である。
【符号の説明】
【０１５８】
１０  …給水システム
１２  …貯水槽
１８ａ，１８ｂ、１８ｃ、１８ｄ  …給水栓
２０  …逆止弁
２６ａ，２６ｂ、２６ｃ、２６ｄ  …給水口
２８ａ，２８ｂ、２８ｃ、２８ｄ  …配水管
３０  …非常取水栓
３２  …接続口
５０  …ヘッダ
５４ａ，５４ｂ、５４ｃ、５４ｄ  …分岐口
５６，６０，６４  …分岐継手
５８，６２  …導水管
６６，８４  …分岐部
８６  …分岐管
８８  …コンセント部
１００  …住宅
１０２  …壁
【図１】
2010185272.tif 000003
【図２】
2010185272.tif 000004
【図３】
2010185272.tif 000005
【図４】
2010185272.tif 000006
【図５】
2010185272.tif 000007
【図６】
2010185272.tif 000008
【図７】
2010185272.tif 000009
【図８】
2010185272.tif 000010
【図９】
2010185272.tif 000011
【図１０】
2010185272.tif 000012
【図１１】
2010185272.tif 000013
【図１２】
2010185272.tif 000014
【図１３】
2010185272.tif 000015
【図１４】
2010185272.tif 000016
【図１５】
2010185272.tif 000017
【図１６】
2010185272.tif 000018
【図１７】
2010185272.tif 000019
【図１８】
2010185272.tif 000020
【図１９】
2010185272.tif 000021
【図２０】
2010185272.tif 000022
【図２１】
2010185272.tif 000023